(57)【要約】【課題】袋底部の溶着部分の破損を軽減すると共にペットの排泄物をつかみ易くしたペットの排泄物処理袋を提供する。【解決手段】本ペットの排泄物処理袋は、フィルム筒を表裏シートが扁平に重合した扁平筒体に形成し、扁平筒体の左右縁部を内方へ折り込んで左右ガゼットを形成すると共に、左右ガゼットの先端縁は互いに一定幅員を保持して重合するように折り込み形成し、扁平筒体の袋開口部と底部に相当する部分は重合した表裏シート及び重合したガゼットを一体熱溶着して形成し、しかも、袋開口部の熱溶着部分はガゼットを含めて縦方向にＵ字状に切断して、左右袋把持部を形成したものである。【選択図】図１
2016084225.tif 000002
【特許請求の範囲】
【請求項１】
フィルム筒を表裏シートが扁平に重合した扁平筒体に形成し、扁平筒体の左右縁部を内方へ折り込んで左右ガゼットを形成すると共に、左右ガゼットの先端縁は互いに一定幅員を保持して重合するように折り込み形成し、扁平筒体の袋開口部と底部に相当する部分においては重合した表裏シート及び重合したガゼットを一体熱溶着して６枚のフィルムシートの多重熱溶着部を形成し、しかも、袋開口部の熱溶着部分はガゼットを含めて縦方向にＵ字状に切断して、左右袋把持部を形成し、更には、袋開口部と底部との境を切断して形成する袋単体は袋内外面を折り返した状態において、袋内部に挿入する手掌のうち親指と他の四本の指とは熱溶着部分を境として表裏折り返した表シート側と裏シート側に位置し、手掌中央部分は熱溶着した重合ガゼットよりなる表裏折り返しの多重熱溶着部に位置し、排泄物をつかむ際の排泄物の隆起部分が重合表裏シート及び重合ガゼットの多重熱溶着部で包みながらつかみ取ることができるように構成したことを特徴とするペットの排泄物処理袋。
【請求項２】
表シート又は裏シートに袋開口部を閉塞するための紐テープを貼付けたことを特徴とする請求項１に記載のペットの排泄物処理袋。
【発明の詳細な説明】
【技術分野】
【０００１】
この発明は、ペットの排泄物処理袋に関する。
【背景技術】
【０００２】
従来、ペットの糞などの排泄物は、戸外では飼い主が処理袋に収容して持ち帰って処理している。かかる排泄物の処理袋としては、通常、ポリ袋を持参し、ポリ袋の内外を折り返して、その折り返し袋の中に手を入れて、袋ごと排泄物をつかみ、再度、内外を折り返してポリ袋に収容して持ち帰るという手順で処理がなされている。
【０００３】
ところで、少量の排泄物の場合には、ポリ袋の強度は問題とならないが、大型犬などの大型ペットの場合には、大量の排泄物をポリ袋でつかんで収容する必要があり、過重量となって、つかむ際或いは収納後にポリ袋の底部溶着部に亀裂が生じ、場合によっては液漏れや破損を生じる恐れがあった。
そこで、このような重量のペット排泄物を収容するためのポリ袋としては、両側縁にガゼットを形成して、底部のガゼット部分が４枚のシートの熱溶着により構成されるようにして、底部の重量負担に耐えるようにし、かつ、排泄物をつかむ際にガゼット部分が拡縮して排泄物収容作業をやり易くした袋が開発されている（特許文献１参照）。
【先行技術文献】
【特許文献】
【０００４】
【特許文献１】特開２００４−５１１８６号公報
【発明の概要】
【発明が解決しようとする課題】
【０００５】
しかし、かかる作業のペットの排泄物処理袋はガゼットを両側縁に形成しただけのものであるため、左右のガゼットの内折り込み先端部間においては、ガゼットのない袋と同様に袋の表裏シートが二枚対面しただけの構成となり、収容した重量排泄物により二枚の対面シート部分に亀裂が生じたり、溶着部分が剥離して非常に不便を生起しており、また、戸外で排泄物をつかむ際には折り返し袋中で手掌の拡大動作がガゼットの折り込み方向と交差する袋内幅広方向でなされることになるため排泄物のつかみ動作が確実に行いにくい欠点を有していた。
【０００６】
この発明は、袋底部の溶着部分の破損を軽減すると共に、ペットの重量排泄物をつかみ易くしたペットの排泄物処理袋を提供するものである。
【課題を解決するための手段】
【０００７】
請求項１に記載の発明は、フィルム筒を表裏シートが扁平に重合した扁平筒体に形成し、扁平筒体の左右縁部を内方へ折り込んで左右ガゼットを形成すると共に、左右ガゼットの先端縁は互いに一定幅員を保持して重合するように折り込み形成し、扁平筒体の袋開口部と底部に相当する部分においては重合した表裏シート及び重合したガゼットを一体熱溶着して６枚のフィルムシートの多重熱溶着部を形成し、しかも、袋開口部の熱溶着部分はガゼットを含めて縦方向にＵ字状に切断して、左右袋把持部を形成し、更には、袋開口部と底部との境を切断して形成する袋単体は袋内外面を折り返した状態において、袋内部に挿入する手掌のうち親指と他の四本の指とは熱溶着部分を境として表裏折り返した表シート側と裏シート側に位置し、手掌中央部分は熱溶着した重合ガゼットよりなる表裏折り返しの多重熱溶着部に位置し、排泄物をつかむ際の排泄物の隆起部分が重合表裏シート及び重合ガゼットの多重熱溶着部で包みながらつかみ取ることができるように構成したことを特徴とする。
【０００８】
請求項２に記載の発明は、表シート又は裏シートに袋開口部を閉塞するための紐テープを貼付けたことを特徴とする。
【発明の効果】
【０００９】
請求項１に記載の発明によれば、まず、袋単体の底部は左右折り込み先端部分が重合したガゼットと袋単体の表裏シートとを一体に熱溶着して６枚のフィルムシートの多重熱溶着部を構成したために、袋単体を内外折り返してペットの排泄物を手でつかむ際に、重合した表裏シートと重合したガゼットとの熱溶着部分が手掌の中央部に配されて、排泄物の隆起部分を手掌中央部で把持し、しかも、親指と他の四本の指とがそれぞれ重合熱溶着部分の左右側、すなわち、袋単体の表シート側と裏シート側に位置するため、排泄物を左右からつかんで手掌全体で包み込むことができ、この際に袋底部の中央部は重合した表裏シートとガゼット先端の多重熱溶着部であるため全体に厚みを生起し、液漏れし難く熱溶着部の強度も向上し、特に表裏シートとガゼット同士の６枚フィルムシートの多重溶着となるために多量の排泄物の重量負荷のかかる部分において強度を増加することができる。
更には、一旦、内外折り返して排泄物をつかんだ後にポリ袋を再度内外折り返して元に戻して通常のポリ袋形態とする場合において、当初内外折り返した状態で親指と四本の指により表裏シート側で排泄物をつかんでいるために、簡単に袋の内外折り返しをして元に戻すことができる。このようにして、ポリ袋中に排泄物を収容した後は、開口部のＵ字状の切欠き部を除いた部分に形成した把手を利用して、携帯、運搬に便利としている。
【００１０】
請求項２に記載の発明によれば、表シート又は裏シートに袋開口部を閉塞するための紐テープを貼付けたことにより、袋開口部を閉塞する際に、紐テープをシートから剥がし、ペットの排泄物を収納した袋の開口部を紐テープで巻き付けて閉塞することができる。
【図面の簡単な説明】
【００１１】
【図１】（ａ）ペットの排泄物処理袋を示す平面図。（ｂ）図１（ａ）のＡ−Ａ断面図。（ｃ）図１（ａ）のＸ−Ｘ断面図。
【図２】ペットの排泄物処理袋の内外をひっくり返した使用状態を示す斜視図。
【図３】図２の鳥瞰図。
【図４】ペットの排泄物処理袋に貼り付けた紐テープの使用状態を示す図。
【図５】ペットの排泄物処理袋に貼り付けた他の紐テープの使用状態を示す図。
【発明を実施するための形態】
【００１２】
この発明は、フィルム筒を表裏シートが扁平に重合した扁平筒体に形成し、扁平筒体の左右縁部を内方へ折り込んで左右ガゼットを形成すると共に、左右ガゼットの先端縁は互いに一定幅員を保持して重合するように折り込み形成し、扁平筒体の袋開口部と底部に相当する部分においては重合した表裏シート及び重合したガゼットを一体熱溶着して６枚のフィルムシートの多重熱溶着部を形成し、しかも、袋開口部の熱溶着部分はガゼットを含めて縦方向にＵ字状に切断して、左右袋把持部を形成し、更には、袋開口部と底部との境を切断して形成する袋単体は袋内外面を折り返した状態において、袋内部に挿入する手掌のうち親指と他の四本の指とは熱溶着部分を境として表裏折り返した表シート側と裏シート側に位置し、手掌中央部分は熱溶着した重合ガゼットよりなる表裏折り返しの多重熱溶着部に位置し、排泄物をつかむ際の排泄物の隆起部分が重合表裏シート及び重合ガゼットの多重熱溶着部で包みながらつかみ取ることができるように構成したことに関する。
【００１３】
さらに、表シート又は裏シートに袋開口部を閉塞するための紐テープを貼付けている。
【００１４】
［実施例］
この発明の実施例を図面に基づき詳説する。図１（ａ）は、ペットの排泄物処理袋を示す平面図であり、図１（ｂ）は、図１（ａ）のＡ−Ａ断面図であり、図１（ｃ）は、図１（ａ）のＸ−Ｘ断面図である。ペットの排泄物処理袋の内外をひっくり返した使用状態を示す斜視図。
【００１５】
図１に示すように、ペットの排泄物処理袋Ｋは、袋の底部９となる箇所に熱溶着された熱溶着部Ｔ１が設けられ、縦方向にＵ字状に切断して、左右袋把持部Ｈ，Ｈを形成している。熱溶着部Ｔ１よりも下側には、下端開放部１２が形成されている。
【００１６】
また、ペットの排泄物処理袋Ｋは、フィルム筒を表裏シート３，４が扁平に重合した扁平筒体２に形成し、扁平筒体２の左右縁部２ａ，２ａを内方へ折り込んで左右ガゼット５，６を形成すると共に、左右ガゼット５，６の先端縁５ａ，６ａは互いに一定幅員を保持して重合するように折り込み形成している。
【００１７】
ペットの排泄物処理袋Ｋは、このような折り込まれた左右ガゼット５，６を設けることで、袋として使用する際に左右ガゼット５，６を拡げて袋に厚み方向の「まち」を形成し、内容量を拡大できると共に袋の幅員を幅狭としてコンパクト化をはかっている。
【００１８】
さらに、扁平筒体２の袋開口部８と底部９に相当する部分は重合した表裏シート３，４及び重合した重合ガゼット７を一体熱溶着し多重熱溶着部Ｔ１’を形成しており、しかも、袋開口部８の熱溶着部分Ｔ２，Ｔ２はガゼット５，６を含めて縦方向にＵ字状に切断している。すなわち、各袋把持部Ｈの端部は、表裏シート３，４とガゼット５，６とを熱溶着しており、熱溶着部分Ｔ２，Ｔ２が形成されることにより挿通孔１１（図３参照）が形成される。なお、重合ガゼット７は、ガゼット５を構成する２枚のシートとガゼット６を構成する２枚のシートからなる４枚のシートが重合した構成であり、これに表裏シート３，４が重合して６枚のフィルムシートからなる多重熱溶着部Ｔ１’を構成している。
【００１９】
このように袋の底部９に相当する部分では重合した表裏シート３，４及び重合ガゼット７が一体熱溶着されることで、液漏れし難くなり底部熱溶着部Ｔ１の強度も向上して、特に底部９のガゼット５，６同士の重合溶着となるために多量の排泄物の重量負荷がかかる部分の強度を増加することができる。すなわち、底部熱溶着部Ｔ１における表シート３と重合ガゼット７と裏シート４とが重なって、シート６枚が重合して溶着された構成である。
【００２０】
更には、図２及び図３に示すように、袋開口部８と底部９とにより形成して切り離した袋単体Ｋは、袋の内外を折り返した状態において袋内部に挿入する手掌のうち、親指Ｆ１と他の四本の指Ｆ２，Ｆ３，Ｆ４，Ｆ５とは多重熱溶着部Ｔ１’を境として折り返した表シート３側と裏シート４側に位置し、手掌中央部分は熱溶着した重合ガゼット７を中心とした多重熱溶着部Ｔ１’に位置し、排泄物Ｄをつかむ際の排泄物Ｄの隆起部分は多重熱溶着部Ｔ１’に位置する手掌で包みながらつかみ取ることができるように構成している。
【００２１】
すなわち、この際に袋の底部９の中央部は重合した表裏シート３，４と重合ガゼット７の多重熱溶着部Ｔ１’であるためフィルムシート６枚を重合した厚みがあり、液漏れし難く多重熱溶着部Ｔ１’の強度も向上し、特にガゼット５，６同士の重合溶着となるために多量の排泄物Ｄの重量負荷がかかる部分の強度を増加することができる。
【００２２】
更には、一旦、内外折り返して排泄物Ｄをつかんだ後にポリ袋Ｋを再度内外折り返して元に戻して袋中に排泄物Ｄを収容した状態とする場合においては、図３に示すように、すでに内外折り返した状態において親指Ｆ１と四本の指Ｆ２，Ｆ３，Ｆ４，Ｆ５により中央の多重熱溶着部Ｔ１’以外の袋両側部分によって排泄物Ｄをつかんでいるため、再度簡単に袋の内外折り返しをして元に戻すことができる。このようにして、ポリ袋中に排泄物Ｄを収容した後は、開口部８のＵ字状の切欠き部を境に形成された把手部Ｈ，Ｈを持って携帯、運搬できる。
【００２３】
さらに、図１及び図４（ａ）に示すように、ペットの排泄物処理袋Ｋの表シート３には、袋開口部８を閉塞する紐テープＳを貼付ける構成とした。
【００２４】
紐テープＳは、ペットの排泄物処理袋Ｋの幅員方向について、中央部から外れた位置、つまり多重熱溶着部Ｔ１’から外れた位置に設けられている。本実施形態では、図１（ａ）に示すように、紐テープＳは、ペットの排泄物処理袋Ｋの幅員方向について、一方の（図１（ａ）において右側の）把持部Ｈの部分において、ペットの排泄物処理袋Ｋの長手方向に全体にわたって帯状に貼設されている。このような構成により、ペットの排泄物処理袋Ｋの厚さに関し、フィルムシート６枚が重合した多重熱溶着部Ｔ１'が存在する幅員方向の中央部の厚さ局所的に厚くなることを防止することができる。これにより、ペットの排泄物処理袋Ｋが複数重ねられたり、複数連なった状態でロール状に巻回されたりしてパッケージングされた状態において、積層の厚さやロール状の直径が局部的に大きくなることを防止することができるので、複数のペットの排泄物処理袋Ｋがパッケージングされた状態での陳列性や収納性を向上することができる。
【００２５】
袋開口部８を閉塞する際に、先ず、図４（ｂ）に示すように、表シート３から紐テープＳを表シート３から剥がし、ペットの排泄物Ｄを収納したのち、袋開口部８を紐テープＳで巻き付けて閉塞することができる（図４（ｃ）参照）。
【００２６】
なお、紐テープＳは、表シート３に貼付けたが、表シート３に変えて、裏シート４に貼付けるようにしてもよい。
【００２７】
さらに、図５に示すように、表シート３に紐テープＳのテープ中途部Ｓ１を固着するようにした。すなわち、袋開口部８の近傍位置にある紐テープＳのテープ中途部Ｓ１を固着することにより、図５（ｂ）に示すように、この固着したテープ中途部Ｓ１を基点として紐テープＳで巻き付けて袋開口部８を閉塞し易くなる（図５（ｃ）参照）。
【００２８】
袋開口部を閉塞する際に、紐テープをシートから剥がそうとすると紐テープの中途部が表シート又は裏シートに固着されており、この固着した部分を基点として片手で紐テープの端部をつかみ巻き付けて袋開口部を閉塞し易い効果がある。
【００２９】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００３０】
Ｋ  ペットの排泄物処理袋
Ｄ  排泄物
Ｆ１  指
Ｆ２  指
Ｆ３  指
Ｆ４  指
Ｆ５  指
Ｈ  把手部
Ｓ  紐テープ
Ｓ１  テープ中途部
Ｔ１  溶着部
Ｔ２  溶着部分
２  扁平筒体
２ａ  縁部
３  表シート
４  裏シート
５  左ガゼット
５ａ  先端縁
６  右ガゼット
６ａ  先端縁
７  重合ガゼット
８  開口部
９  底部
１１  挿通孔
１２  下端開放部
１３  中途部
【図１】
2016084225.tif 000003
【図２】
2016084225.tif 000004
【図３】
2016084225.tif 000005
【図４】
2016084225.tif 000006
【図５】
2016084225.tif 000007